(57)【要約】引き出し式スプレイヘッド蛇口または手持ちシャワー内において、挿入物が管状噴出孔内に置かれ、それにより、引き出し式スプレイヘッドまたはワンドが管状噴出孔内に着座されたときにその揺動が防止されている。挿入物は一般に管状であり、管状噴出孔内に嵌まるような形状、寸法を有している。挿入物は内壁に互いに対向した２個のタブを有し、該タブがワンド内に取り付けられたアダプター上の翼材と係合し、アダプターとワントとを揺動しないように固定している。
2004520512.tif 000002
【特許請求の範囲】
【請求項１】
管状噴出孔と、該管状噴出孔内に取り外し可能に置かれた引き出し式スプレイヘッドとを有する引き出し式スプレイヘッド蛇口または手持ちシャワーにおいて、前記引き出し式スプレイヘッドが内部に配置されたアダプターを備えた把手を有し、前記アダプターの一部が前記引き出し式スプレイヘッド把手を越えてスプレイヘッドから後方に延びており、前記アダプターが、後方に延びる部分を形成する外壁上に一対の外側に延びる翼部を有しており、
前記管状噴出孔内にほぼ管状の挿入物が配置され、前記挿入物がその内壁上に一対のタブを有し、該タブがアダプター上の翼材と係合するようになっており、かくて、引き出し式スプレイヘッドが管状噴出孔内に挿入されたとき引き出し式スプレイヘッドの揺動が減少されるようになっている点において改良されている引き出し式スプレイヘッド蛇口または手持ちシャワー。
【請求項２】
請求項１に記載の引き出し式スプレイヘッド蛇口において、前記挿入物がその底部にボタンを有し、該ボタンが前記管状噴出孔の底の開口と係合し、かくて、挿入物をその位置に保持していることを特徴とする引き出し式スプレイヘッド蛇口。
【請求項３】
請求項１に記載の引き出し式スプレイヘッド蛇口において、前記タブが角度を付けられていることを特徴とする引き出し式スプレイヘッド蛇口。
【請求項４】
請求項３に記載の引き出し式スプレイヘッドにおいて、前記挿入物がその頂部後方にタブ延長部を有することを特徴とする引き出し式スプレイヘッド。
【請求項５】
請求項１に記載の引き出し式スプレイヘッドにおいて、前記挿入物がその頂部後方にタブ延長部を有することを特徴とする引き出し式スプレイヘッド。
【請求項６】
請求項１に記載の引き出し式スプレイヘッドにおいて、前記挿入物が前記管状噴出孔のマウント内に嵌まり込むような形状、大きさを有していることを特徴とする引き出し式スプレイヘッド。
【請求項７】
請求項７に記載の引き出し式スプレイヘッドにおいて、前記挿入物がほぼ楕円形断面を有することを特徴とする引き出し式スプレイヘッド。
【請求項８】
請求項１に記載の引き出し式スプレイヘッドにおいて、前記挿入物がステンレス鋼から成ることを特徴とする引き出し式スプレイヘッド。
【請求項９】
請求項８に記載の引き出し式スプレイヘッドにおいて、前記挿入物と管状噴出孔とが締まり嵌め状態にあることを特徴とする引き出し式スプレイヘッド。
【発明の詳細な説明】
【０００１】
（技術分野）
本発明は、引き出し式スプレイヘッドまたはワンド（ｗａｎｄ）を有する蛇口またはシャワーに関し、特に、遊びや揺動が少なく噴出孔またはハブ（ｈｕｂ）内に安全かつ堅固に着座される引き出し式スプレイヘッドを有する蛇口に関する。
【０００２】
（背景技術）
引き出し式スプレイヘッドを持つ蛇口またはシャワーは良く知られている。引き出し式スプレイヘッドを持つ台所または水洗便器の蛇口は広く使用されて来ている。これら蛇口またはシャワーにおいては、引き出し式スプレイヘッドまたはワンドは通常蛇口の噴出孔またはハブ内に着座されている。一般に、ワンドの把手内に取り付けられ、把手から後方に短い距離延びたアダプターがハブ内に挿入されている。アダプターがホースを受容し、アダプターが丁度正しい寸法に形成されていない限りアダプターはハブ内に完全に緊密に嵌まることはない。その結果、アダプターおよびアダプターが配置されているワンド内にある程度の遊びまたは揺動が生じる。また、ワンドはハブ内に同一高さを有して嵌まっておらず、ハブとワンドの接合部の頂部においてワンドとハブの間には不体裁な隙間が存在する。本発明はこれら問題を取り除くものである。
【０００３】
（発明の開示）
本発明に従えば、挿入物が管状噴出孔内に配置され、該挿入物が引き出し式蛇口または手持ちシャワーの引き出し式スプレイヘッドまたはワンド内に取り付けられたアダプターを受容している。このことは、ワンドが管状噴出孔内に挿入され着座されたときワンドを揺動から護つている。挿入物は管状噴出孔内に嵌まるような寸法をもつ管状の部材である。挿入物は角度を付けられた一対の内部タブを有し、該タブが、ワンド内に着座されたアダプター上の対応するかみ合い翼材と協働している。角度を付けられたタブはアダプター上のかみ合い翼材と係合し、アダプターを押し下げ、挿入物内にアダプターを安全に保持している。
【０００４】
（発明を実施するための最良の形態）
本発明の挿入物５０は、挿入物が管状の噴出孔２０内に挿入されたとき、引き出し式スプレイヘッドを安定化し、引き出し式スプレイヘッドまたはワンドの震動または遊びを防止し、減少させるために利用されている。より詳しくは、アダプター３０は、図８ａ〜図８ｃにおいて最も良く分かるように、ワンド１０内に取り付けられている。アダプターは、例えば銅、黄銅、鋼のような金属、またはプラスチックのような適当な材料から成っている。図３、図４に最も良く示すように、アダプター３０は、前方に延び、前端３６に下方に突出するボタン３４を有する柔軟な指状材３３を有している。指状材３３はその後端３５においてアダプター３０に取り付けられている。図８ａ〜図８ｃに示すように、ボタン３４はワンド後方部近くのワンドの底に明けられた補足形状の開口１２内に嵌まっている。
【０００５】
アダプターの後部３７は、２個の溝３８、３９を有し、その中にＯ−リング４０、４１が置かれている。また、溝３８、３９の後方に、互いに対向する位置においてアダプターの後方に向かって外側に延びる２個の突起即ち翼材４０、４１が存在している。アダプター３０の後部３７がワンド１０から後方に延び挿入物５０内に嵌まるような形状になっている。
【０００６】
図５〜図７ａにおいて最も良く分かるように、挿入物５０は中空のほぼ管状の部材である。挿入物５０は、管状噴出孔２０内に嵌まるような大きさ、形状を有している。１実施例においては、図７ａに最も良く示すように、挿入物５０はほぼ楕円形断面を有している。挿入物５０の内部には２個のタブ５５、５７が設けられている。タブ５５、５７は図７ａに最も良く見られるように、挿入物５０の対向する側の壁に配置されている。１実施例においてはタブ５５、５７の少なくとも底面５６、５８が角度をなしている。アダプター３０が挿入物５０内に挿入されると、アダプター上の翼材４０、４１がタブ５５、５７と、より詳しくは挿入物の角度をなした底面５６、５８と係合し、アダプター３０を下方に押圧する。かくて、２個の面の間の隙間が無くなるか、または小さくなり、従って揺動が減少される。
【０００７】
アダプター内のＯ−リング４０、４１はなかんづく、アダプター３０と挿入物５０との間の良好な滑り嵌めを提供する役をなし、揺動、遊びをさらに最小にしている。前面Ｏ−リング４０は中心を調整する役をなし、挿入物５０との不変な嵌め合いを提供し、一方、アダプターが、一般の密封の場合における以上にＯ−リングの底部を押圧している。これが、タブ５５、５７と翼材４０、４１との間に上向きの負荷を生じさせ、かくて、安定性を提供し揺動を最小にしている。より詳しくは、翼材４０、４１と角度付きタブ５５、５７とがアダプター３０を含むワンド１０全体を下方に押圧し、Ｏ−リング４０、４１の底半分を圧縮し、一方、Ｏ−リング４０、４１の頂部に対する圧搾または圧縮力を減少させている。これがＯ−リング４０、４１の下方部における負荷を増大させ、翼材４０、４１上に線対線の嵌め合いを行わせ、垂れ下がりを最小にしている。このことは隙間に対して１方向にだけ生じているので、揺動が非常に減少されている。
【０００８】
挿入物５０の底に、下方に突出するボタン５１が位置されている。図７ａに最も良く示されているように、ボタン５１は管状噴出孔２０の底の開口２１に嵌まり込み、挿入物５０を管状噴出孔２０内に保持し適当に位置させることを助けている。
【０００９】
挿入物の前面に、円周方向に延びる唇部５２が存在している。図１１に最も良く示されているように、唇部５２が挿入物５０前面から半径方向に延び、管状噴出孔２０とワンド１０との間に充分達するようになつている。
【００１０】
挿入物３０の１実施例においては、図１、図５〜図７、図８ａ〜図１１、図１３および図１４に最も良く示されているように、挿入物５０の後方頂部にタブ延長部５８が設けられている。このタブ延長部５８は管状噴出孔２０の内側頂面２５と係合している。これがボタン５１を管状噴出孔２０の下側の開口２５内に押し込んでいる。これは図１４に最も良く示されている。本実施例においては、挿入物を管状噴出孔２０内に保持するために、挿入物５０上に接着剤を施す必要は無い。
【００１１】
他の実施例においては、図１５に示されているように、挿入物３０がタブ延長部５８を有していない。本実施例においては、挿入物を管状噴出孔２０内に保持するために、挿入物５０上に接着剤を施す必要があろう。図１５の他の実施例においては、挿入物５０ステンレス鋼から成り、締まり嵌めにより管状噴出孔２０内に保持されている。本実施例においては、底ボタン５１は省略されよう。
【００１２】
本発明のいくつかの実施例を説明目的のために述べたが、本発明の全般的範囲の中で、種々の実施例および変形があり得ることが理解されるべきである。
【図面の簡単な説明】
【図１】
引き出し式スプレイヘッドまたはワンド、アダプター、挿入物および管状噴出孔を示す分解斜視図。
【図２】
アダプターの頂部斜視図。
【図３】
アダプターの側面斜視図。
【図４】
アダプターの底部斜視図。
【図５】
挿入物の前面斜視図。
【図６】
挿入物の頂部平面図。
【図７】
図６の線７−７に沿ってとられた挿入物の断面図。
【図７ａ】
管状噴出孔内に配置された挿入物の前面断面図。
【図８】
管状噴出孔内に挿入された引き出し式スプレイヘッドまたはワントの頂部平面図。
【図８ａ】
管状噴出孔内に完全に挿入された引き出し式スプレイヘッドを示す図８の線８ａ−８ａに沿う側面断面図。
【図８ｂ】
アダプターおよび挿入物を示す図８ａに類似の図、但し引き出し式スプレイヘッドが管状噴出孔内に部分的にのみ挿入されている。
【図８ｃ】
図８ｂに類似の図、但し引き出し式スプレイヘッドが図８ｂにおけるよりも、管状噴出孔から離れている。
【図９】
挿入物内のアダプターを示す図８ｃの線９に沿ってとられた拡大側面断面図。
【図１０】
挿入物内のアダプターを示す図８ｂの線１０に沿ってとられた拡大側面断面図。
【図１１】
挿入物内のアダプターを示す図８ａの線１１に沿ってとられた拡大側面断面図。
【図１２】
管状噴出孔内に挿入された引き出し式スプレイヘッドの頂部平面図。
【図１３】
管状噴出孔内に完全に挿入された引き出し式スプレイヘッドの側面平面図。
【図１４】
管状噴出孔内に完全に挿入された図１３の線１４に沿ってとられた拡大側面断面図。
【図１５】
挿入物の第２実施例の頂部平面図。本実施例においては、挿入物はばね延長タブを有していない。
【国際公開パンフレット】
2004520512.tif 000003
2004520512.tif 000004
2004520512.tif 000005
2004520512.tif 000006
2004520512.tif 000007
2004520512.tif 000008
2004520512.tif 000009
2004520512.tif 000010
2004520512.tif 000011
2004520512.tif 000012
2004520512.tif 000013
2004520512.tif 000014
2004520512.tif 000015
2004520512.tif 000016
2004520512.tif 000017
2004520512.tif 000018
2004520512.tif 000019
2004520512.tif 000020
2004520512.tif 000021
2004520512.tif 000022
【国際公開パンフレット（コレクトバージョン）】
2004520512.tif 000023
【国際公開パンフレット（コレクトバージョン）】
2004520512.tif 000024
2004520512.tif 000025
【国際調査報告】
2004520512.tif 000026